(57)【特許請求の範囲】
【請求項１】
車両のボデーにバンパーカバーを取り付けるためのバンパーリテーナであって、
バンパーカバーがボデーの所定の位置に正確に納まるように取付けるためのリテーナ本体と、リテーナ本体をボデーに取り付けるためのピン部材とを備え、
前記リテーナ本体は、バンパーカバーを固定する固定爪と、ボデーに取り付けられる縦壁部と、縦壁部に設けられたピン挿入穴と、縦壁部のボデー取付側にピン挿入穴を囲むように設けられたボデー取付脚部とを有し、
前記ピン部材は、ピン挿入穴に挿入されるピン部と、ピン部をその長手軸の廻りに第１位置と第２位置との間で回転させるレバー部と、ピン部とレバー部の間にあって前記長手軸から半径方向外方向に延びる第１フランジ部とを有し、
前記ピン部は、第１位置においてボデー取付側と反対側のピン挿入側からピン挿入穴に挿入され、前記第１フランジ部は、ピン部がピン挿入穴に挿入されたときに、その先端がピン挿入穴を囲むように縦壁部のピン挿入側壁面に当接し、
前記ボデー取付脚部は、ボデーの取付穴に挿入され且つ内部にピン部を受け入れ、
前記ピン部は、第１位置においてボデー取付脚部を拡張させることなくその内部に受けいれられ且つ第２位置においてボデー取付脚部を拡張させてその先端をボデーの取付穴よりも外側へ押し広げ、それにより、リテーナ本体がボデーに締結され、
前記リテーナ本体は、ボデー取付脚部が設けられている縦壁部の脚部取付部からボデー側に向かって半径方向外方向へ延びる弾性の第２フランジ部を有し、該第２フランジ部は、ボデー取付脚部がボデーの取付穴に挿入されたときに、その先端がボデーの取付穴を囲むようにボデーのピン挿入側壁面に当接し、
前記ピン部材の第１フランジ部と前記リテーナ本体の第２フランジ部は、いずれも弾性片フランジから成り、それにより、ボデー取付脚部の拡張時にリテーナ本体がピン部材と共にボデー内部へ引き込まれる際に、第２フランジ部がボデーに向かって撓むと共に第１フランジ部がリテーナ本体の縦壁部に向かって撓むようになっていることを特徴とするバンパーリテーナ。
【請求項２】
前記ボデー取付脚部は、挿入されるピン部を取り囲むように配置された一対の対向する脚部片から成り、前記ピン部は、脚部拡張用ブロック形状部を有し、該脚部拡張用ブロック形状部は、第１位置と第２位置の間で９０度だけ回転可能であり、前記脚部拡張用ブロック形状部の前記一対の脚部片を結ぶ方向における幅は、第１位置において、前記対向する脚部片の間隔より小さく、第２位置において、前記脚部片の間隔よりも大きいことを特徴とする請求項１に記載のバンパーリテーナ。
【請求項３】
前記ピン部は、前記脚部拡張用ブロック形状部の先端と結合する先端ガイドと前記脚部拡張用ブロック形状部の後端と結合する基幹部とをさらに有し、前記基幹部に前記第１フランジ部と前記レバー部が結合され、前記レバー部はピン部の長手軸方向に対して直角に延びていることを特徴とする請求項２に記載のバンパーリテーナ。
【請求項４】
前記リテーナ本体の縦壁部の脚部取付部にボデー当て面を設けたことを特徴とする請求項１乃至３の何れか１項に記載のバンパーリテーナ。
【請求項５】
前記リテーナ本体の縦壁部のピン挿入側にピン部材を保護するための補強リブが設けられ、該補強リブは、前記第１フランジ部を収容するほど大きな円形状を有し、その円形部分の一部にレバー部の可動域を確保するための切り欠き部が設けられており、レバー部の先端に近い位置にロック形状部が設けられ、前記切り欠き部にピン保持ロック部が設けられており、前記ロック形状部と前記ピン保持ロック部が第２位置において係合して、ピン部材をリテーナ本体にロックするようになっていることを特徴とする請求項１乃至４の何れか１項に記載のバンパーリテーナ。
【請求項６】
前記レバー部の先端部は、第１位置及び第２位置の何れか一方の位置において、リテーナ本体から飛び出しており、それにより、その飛び出した先端部が目視可能になっていることを特徴とする請求項１乃至５の何れか１項に記載のバンパーリテーナ。
【請求項７】
前記一対の対向する脚部片が垂直方向に上下に対向する一対の脚部片から成り、前記レバー部は、第１位置において前記一対の脚部片を結ぶ方向に垂直に延びており、前記脚部拡張用ブロック形状部は、第１位置において水平方向の幅が垂直方向の幅よりも大きな形状を有しており、前記先端ガイドは、第１位置において水平方向の幅が先端に向かって細くなっており、前記脚部拡張用ブロック形状部の先端ガイドとの結合部は、第１位置において垂直方向の幅が先端ガイドの垂直方向の幅よりも小さくなって首状部を形成しており、それにより、第１位置においてピン部が挿入されたときに、上下の一対の脚部片が前記首状部と係合するようになっていることを特徴とする請求項３乃至６の何れか１項に記載のバンパーリテーナ。
【発明の詳細な説明】
【技術分野】
【０００１】
本発明は、車両のボデーにバンパーカバーを取り付けるためのバンパーリテーナに関し、特に、バンパーカバーがボデーの所定の位置に正確に納まるように取付けるためのバンパーリテーナに関する。
【背景技術】
【０００２】
従来の車両のバンパーカバー支持構造においては、バンパーカバーがバンパーカバー支持ブラケットすなわちバンパーリテーナを介してボデーに取り付けられている。バンパーカバー支持ブラケットには、所定の間隔で取付孔が設けられ、これらの取付孔には、グロメットが一体成形されている。ボデーパネルのバンパーカバー取付部には、所定の間隔で取付孔が設けられ、それらの取付孔には、バンパーカバー支持ブラケットに形成されたグロメットが挿入され、バンパーカバー支持ブラケットの取付孔に挿入されたビスによって固定されている。バンパーカバーのボデーへの取り付けは、バンパーカバーの係合孔が、ボデー側に固定されたバンパーカバー支持ブラケットの係合片の係合爪に係合することにより行われる（特許文献１）。
【０００３】
従来の複数の被締結部材を締結するための締結用クリップは、被締結部材に穿設された真円の締結孔より僅かに小径で且つその全厚より長い円柱の軸心部に長円孔を穿設してなる筒状部に、スリットを、筒状部先端側拡径自在となるよう刻設し、筒状部基端に締結孔より大径のフランジ部を形成してケーシングを構成すると共に、筒状部内に挿入可能な軸体に、外形が長円孔と略等しい長円部を形成し、軸体基端に、つまみ部を突設した鍔部を一体に設けて作動片を構成し、ケーシングの筒状部内に作動片の軸体を、回転自在に且つ鍔部がフランジ部と係合するよう、一体に嵌挿せしめて構成されている（特許文献２）。
【先行技術文献】
【特許文献】
【０００４】
【特許文献１】特開２００４−１１４７１５号公報
【特許文献２】実開平５−８９９３１号公報
【発明の概要】
【発明が解決しようとする課題】
【０００５】
従来技術によれば、特許文献１に記載されているように、ボデーにバンパーカバーを取り付けるためには、リテーナをボデーに先に取り付け、リテーナにバンパーカバーを取り付けることでバンパーカバーの位置及び見切りを管理している（すなわち、バンパーカバーを精度良く位置決めして外観性を向上させている）が、特にリアーバンパーはボデーに穴をあけ、直接取り付けるため、シール性（水密性）が必要である。通常は、特許文献１に記載されたようなビス（ネジ）をドライバーで締め付けることにより、又は、タッピングスクリュー（タッピングネジ）をインパクトレンチで締め付けることにより、軸力を発生させ、ボデーの当たり面にパッキンを設定し、シール性を確保している。しかしながら、引用文献１のリテーナでは取りつけのために工具を必要とするために作業効率が低い。
【０００６】
また、引用文献２に記載された締結用クリップは、工具を必要としないで２つの被締結部材を締結できるが、車両のボデーとバンパーリテーナを締結するものではない。従って、その締結構造は、拡張自在な筒状部を回転自在な作動片により内部から拡張させるという締結クリップの構造だけに依存しているので、締結力が弱く、また、防水機能もない。
【０００７】
本発明の目的は、上記課題を解決して、バンパーカバーの位置及び見切りを管理し且つボデーへの水の浸入を防ぎつつ工具を必要とせずに容易にバンパーカバーをボデーに取り付けることができるバンパーリテーナを提供することである。
【課題を解決するための手段】
【０００８】
上記目的を達成するために、本発明によれば、車両のボデーにバンパーカバーを取り付けるためのバンパーリテーナであって、バンパーカバーがボデーの所定の位置に正確に納まるように取付けるためのリテーナ本体と、リテーナ本体をボデーに取り付けるためのピン部材とを備え、前記リテーナ本体は、バンパーカバーを固定する固定爪と、ボデーに取り付けられる縦壁部と、縦壁部に設けられたピン挿入穴と、縦壁部のボデー取付側にピン挿入穴を囲むように設けられたボデー取付脚部とを有し、前記ピン部材は、ピン挿入穴に挿入されるピン部と、ピン部をその長手軸の廻りに第１位置と第２位置との間で回転させるレバー部と、ピン部とレバー部の間にあって前記長手軸から半径方向外方向に延びる第１フランジ部とを有し、前記ピン部は、第１位置においてボデー取付側と反対側のピン挿入側からピン挿入穴に挿入され、前記第１フランジ部は、ピン部がピン挿入穴に挿入されたときに、その先端がピン挿入穴を囲むように縦壁部のピン挿入側壁面に当接し、前記ボデー取付脚部は、ボデーの取付穴に挿入され且つ内部にピン部を受け入れ、前記ピン部は、第１位置においてボデー取付脚部を拡張させることなくその内部に受けいれられ且つ第２位置においてボデー取付脚部を拡張させてその先端をボデーの取付穴よりも外側へ押し広げ、それにより、リテーナ本体がボデーに締結されることを特徴とするバンパーリテーナが提供される。
【０００９】
本発明の１つの実施形態によれは、前記リテーナ本体は、ボデー取付脚部が設けられている縦壁部の脚部取付部から半径方向外方向へ延びる第２フランジ部を有し、該第２フランジ部は、ボデー取付脚部がボデーの取付穴に挿入されたときに、その先端がボデーの取付穴を囲むようにボデーのピン挿入側壁面に当接するようになっていてもよい。
本発明の別の実施形態によれは、前記ピン部材の第１フランジ部と前記リテーナ本体の第２フランジ部は、いずれも弾性片フランジから成り、それにより、ボデー取付脚部の拡張時にリテーナ本体がピン部材と共にボデー内部へ引き込まれる際に、第２フランジ部がボデーに向かって撓むと共に第１フランジ部がリテーナ本体の縦壁部に向かって撓むようになっていてもよい。
【００１０】
本発明の更に別の実施形態によれは、前記ボデー取付脚部は、挿入されるピン部を取り囲むように配置された一対の対向する脚部片から成り、前記ピン部は、脚部拡張用ブロック形状部を有し、該脚部拡張用ブロック形状部は、第１位置と第２位置の間で９０度だけ回転可能であり、前記脚部拡張用ブロック形状部の前記一対の脚部片を結ぶ方向における幅は、第１位置において、前記対向する脚部片の間隔より小さく、第２位置において、前記脚部片の間隔よりも大きくなっていてもよい。
【００１１】
本発明の更に別の実施形態によれは、前記ピン部は、前記脚部拡張用ブロック形状部の先端と結合する先端ガイドと前記脚部拡張用ブロック形状部の後端と結合する基幹部とをさらに有し、前記基幹部に前記第１フランジ部と前記レバー部が結合され、前記レバー部はピン部の長手軸方向に対して直角に延びていてもよい。
【００１２】
本発明の更に別の実施形態によれは、前記リテーナ本体の縦壁部の脚部取付部にボデー当て面を設けてもよい。
【００１３】
本発明の更に別の実施形態によれは、前記リテーナ本体の縦壁部のピン挿入側にピン部材を保護するための補強リブが設けられ、該補強リブは、前記第１フランジ部を収容するほど大きな円形状を有し、その円形部分の一部にレバー部の可動域を確保するための切り欠き部が設けられており、レバー部の先端に近い位置にロック形状部が設けられ、前記切り欠き部にピン保持ロック部が設けられており、前記ロック形状部と前記ピン保持ロック部が第２位置において係合して、ピン部材をリテーナ本体にロックするようになっていてもよい。
【００１４】
本発明の更に別の実施形態によれは、前記レバー部の先端部は、第１位置及び第２位置の何れか一方の位置において、リテーナ本体から飛び出しており、それにより、その飛び出した先端部が目視可能になっていてもよい。
【００１５】
本発明の更に別の実施形態によれは、前記一対の対向する脚部片が垂直方向に上下に対向する一対の脚部片から成り、前記レバー部は、第１位置において前記一対の脚部片を結ぶ方向に垂直に延びており、前記脚部拡張用ブロック形状部は、第１位置において水平方向の幅が垂直方向の幅よりも大きな形状を有しており、前記先端ガイドは、第１位置において水平方向の幅が先端に向かって細くなっており、前記脚部拡張用ブロック形状部の先端ガイドとの結合部は、第１位置において垂直方向の幅が先端ガイドの垂直方向の幅よりも小さくなって首状部を形成しており、それにより、第１位置においてピン部が挿入されたときに、上下の一対の脚部片が前記首状部と係合するようになっていてもよい。
【発明の効果】
【００１６】
本発明によれば、道具を使用せずに、ピン部材を回転させることにより、ボデー取付脚部を拡張させてその先端をボデーの取付穴よりも外側へ押し広げ、それにより、リテーナ本体がボデーに締結されるので、バンパーリテーナをボデーに容易に取り付けることができ、従って、バンパーカバーの取り付け作業の効率性も向上する。
【００１７】
本発明によれば、バンパーリテーナをボデーに締結する際に、リテーナ本体とピン部材の２つの弾性片フランジがそれぞれボデー及びリテーナ本体に向かって撓むので、ボデーの取付穴及びリテーナ本体のピン挿入穴からボデー内部への水の侵入を防止できる。
【００１８】
本発明によれは、ピン部材のレバー部の先端部が、第１位置及び第２位置の何れか一方の位置において、リテーナ本体から飛び出しており、それにより、その飛び出した先端部が目視可能になっているので、作業者は、レバー部の先端部がリテーナ本体内に収まっているか又はリテーナ本体外へ飛び出しているかによって若しくはその逆によって、締結が完了しているかどうかを容易に確認できる。
【００１９】
本発明によれは、リテーナ本体に当て面を設けているので、バンパーカバー取付後の自重及び外的応力に対し、リテーナ本体の姿勢変化を抑制することができ、弾性片フランジへの応力の入力を防ぎ、防水機能を保つことができる。
【図面の簡単な説明】
【００２０】
【図１】本発明の１実施形態に係るバンパーリテーナの組み立て前のリテーナ本体とピン部材を示すピン挿入側から見た斜視図である。
【図２】本発明の１実施形態に係るバンパーリテーナの組み立て前のリテーナ本体とピン部材を示すボデー側から見た斜視図である。
【図３】本発明の１実施形態に係るバンパーリテーナの組み立て後のリテーナ本体とピン部材を示すピン挿入側から見た斜視図である。
【図４】本発明の１実施形態に係るバンパーリテーナの組み立て後のリテーナ本体とピン部材を示すボデー側から見た斜視図である。
【図５】本発明の１実施形態に係るバンパーリテーナのボデーへの締結前の状態を示す図であって、（ａ）は、ピン部材挿入側からみた正面図、（ｂ）は、（ａ）のＡ−Ａ線断面図、（ｃ）は、（ａ）のＢ−Ｂ線断面図である。
【図６】本発明の１実施形態に係るバンパーリテーナのボデーへの締結後の状態を示す図であって、（ａ）は、ピン部材挿入側からみた正面図、（ｂ）は、（ａ）のＣ−Ｃ線断面図、（ｃ）は、（ａ）のＤ−Ｄ線断面図である。
【図７】本発明の１実施形態に係るバンパーリテーナをボデーに締結した後にそのバンパーリテーナにバンパーカバーを取り付けた状態を示す図６の（ｂ）と同様な断面図である。
【図８】本発明の１実施形態に係るバンパーリテーナのボデーへの締結後におけるバンパーリテーナによるシール構造を示す図６の（ｂ）と同様な断面図である。
【発明を実施するための形態】
【００２１】
以下図面を参照しながら本発明の１実施形態に係るバンパーリテーナについて説明する。まず、バンパーリテーナ１の構造について、主に図１乃至図４を参照しながら説明する。
【００２２】
図１乃至図４に示されているように、バンパーリテーナ１は、リテーナ本体２とピン部材３とで構成され、バンパーリテーナ１の通常の製品は、リテーナ本体２にピン部材３を差し込んだ状態で構成されている（図３及び図４参照）。図示する実施形態では、２つのピン部材３がリテーナ本体２に差し込まれているが、このピン部材３の数は、バンパーリテーナ１のボデー３０（図５乃至図８参照）への締結箇所の数すなわちボデー３０の取付穴の数により変動する。
【００２３】
リテーナ本体２は、図１に示されるように、ボデー側を背にして車両の外側へ向いて凹部が形成されたコの字型の断面構造を有しており、その上壁部４にはバンパーカバー４０（図７参照）を固定する固定爪５が設けられ、その縦壁部６にはピン部材３の一部を挿入するためのピン挿入穴７が設けられている。ピン挿入穴７の数は、ピン部材３の数と同じであり、ピン部材３の数と同様に、バンパーリテーナ１のボデー３０への締結箇所の数すなわちボデー３０の取付穴の数により変動する。
【００２４】
リテーナ本体２の縦壁部６のピン挿入側壁面には、図１及び図３に示すように、各ピン挿入穴７の周りを囲むように補強リブ８が設けられ、この補強リブ８が円形の凹部を形成している。この補強リブ８の一部が約９０度の円弧範囲に亘って切り欠かれて切り欠き部９が形成されている。この切り欠き部９には、ピン部材３をロックするためのピン保持ロック部１０が設けられている。
【００２５】
リテーナ本体２の縦壁部６のボデー側壁面には、図２及び図４に示すように、ボデー３０の取付穴（図５乃至図８参照）に挿入されるボデー取付脚部１１が設けられている。ボデー取付脚部１１の数も、ピン挿入穴７の数及びピン部材３の数と同様に、バンパーリテーナ１のボデー３０への締結箇所の数すなわちボデー３０の取付穴の数により変動する。各ボデー取付脚部１１は、ピン挿入穴７を囲むように設けられており、垂直方向に対向する一対の脚部片で構成され、その内側にピン部材３の一部を受け入れるようになっている（図３及び図４参照）。
【００２６】
各ボデー取付脚部１１は、縦壁部６のボデー側壁面からわずかに隆起した円形の脚部取付部１２に設けられている（図４参照）。脚部取付部１２には、ボデー取付脚部１１の基部からボデー側に向かって半径方向外方向に延びる脚部弾性片フランジ１３が設けられている（図５乃至図８参照）。この脚部弾性片フランジ１３は、ボデー取付脚部１１がボデー３０の取付穴に挿入されたときに、その先端がボデー３０の取付穴を囲むようにボデー３０のピン挿入側壁面に当接するようになっている。
【００２７】
更に、脚部取付部１２には、ボデー当て面１４が設けられている。このボデー当て面１４は、脚部弾性片フランジ１３の両側に設けられて、脚部弾性片フランジ１３の先端がボデー３０に当接するときに、その先端がボデー３０に当接するように脚部取付部１２からボデー３０へ向かって突出している。このボデー当て面１４を管理することで、バンパーカバー搭載時などの応力に対する、バンパーリテーナ１の姿勢変化を抑制することができ、脚部弾性片フランジ１３への応力の入力を防ぎ、防水性能を保つことができる。
【００２８】
各ピン部材３は、リテーナ本体２のピン挿入穴７に挿入されるピン部１５と、ピン部１５の長手軸に対して直角に結合されたレバー部１６と、ピン部１５とレバー部１６の間にあってピン部１５の長手軸から半径方向外方向に延びるピン部材弾性片フランジ１７とで構成されている。レバー部１６は、ピン部１５の長手軸に対して垂直方向下方向に延びる垂直位置（図１乃至図５参照）と、水平方向平行に延びる水平位置（図６参照）との間で９０度だけ回転可能になっている。このレバー部１６の回転に伴ってピン部１５はその長手軸の廻りに９０度だけ回転するようになっている。ピン部材３は、垂直位置においてピン部１５がリテーナ本体２のピン挿入穴７に挿入され（図３乃至図５参照）、水平位置においてリテーナ本体２をボデー３０に取り付けて締結するようになっている（図６参照）。
【００２９】
このレバー部１６の可動域を確保するために、補強リブ８に、上述したような切り欠き部９が設けられている。また、同様の理由で、リテーナ本体２の下壁部にも切り欠き部が設けられている（図１及び図３参照）。レバー部１６の先端に近い位置にはロック形状部１８が設けられている。このロック形状部１８は、レバー部１６が図６に示すような水平位置にあるときに切り欠き部９のピン保持ロック部１０と係合してピン部材３をリテーナ本体２にロックするようになっている。
【００３０】
ピン部１５は、先端部を形成する先端ガイド１９と、先端ガイド１９に結合された脚部拡張用ブロック形状部２０と、該脚部拡張用ブロック形状部２０に結合された基幹部２１で構成されている。バンパーリテーナ１の組み立て時には、先端ガイド１９がボデー取付脚部１１よりも前方へ飛び出した状態にあり、脚部拡張用ブロック形状部２０がボデー取付脚部１１内に収容された状態にあり、基幹部２１がピン挿入穴７の開口部に収容された状態にある（図３乃至図５参照）。基幹部２１には、ピン部材弾性片フランジ１７とレバー部１６が結合されている。ピン部材弾性片フランジ１７は、ピン部１５がピン挿入穴７に挿入されたときに、その先端がピン挿入穴７を囲むように縦壁部６のピン挿入側壁面に当接している（図５参照）。
【００３１】
レバー部１６は、垂直位置においてピン部１５がピン挿入穴７に挿入されたときに、垂直方向下方向に延びる先端部が、縦壁部６の下端よりも飛び出しており、飛び出した先端部を作業者が目視可能となっている（図５参照）。これによって、レバー部１６は、通常、リテーナ本体２から飛び出している（図５参照）が、レバー部１６を回転させることによりバンパーリテーナ１のボデー３０への締結が完了すると、レバー部１６がリテーナ本体２の内部に収容される（図６参照）。従って、締結が完了すると、レバー部１６がリテーナ本体２から飛び出していないことが目視で確認できるので、トレーサビリティを確保できる。すなわち、作業者は、締結時にレバー部１６がリテーナ本体２の下端から飛び出していることによって締結が完了していないことを、また、リテーナ本体２の内部に収容されていることによって締結が完了していることを、それぞれ目視で容易に確認できる。
【００３２】
ピン部１５の脚部拡張用ブロック形状部２０は、図１及び図２に示すように、垂直位置において、水平方向の幅が垂直方向の幅よりも大きくなっており、さらに、垂直方向の幅がボデー取付脚部１１の一対の脚部片の間隔よりも小さく且つ水平方向の幅がその間隔よりも大きくなっている（図５及び図６参照）。このような形状によって、脚部拡張用ブロック形状部２０は、垂直位置において、ボデー取付脚部１１の脚部片を拡張させることなくその内部に受けいれられ且つ水平位置においてボデー取付脚部１１の脚部片を拡張させてその先端をボデー３０の取付穴よりも外側へ押し広げ、それにより、リテーナ本体２がボデー３０に締結されるようになっている。
【００３３】
ピン部１５の先端ガイド１９は、図１及び図２に示すように、垂直位置において、水平方向の幅が先端に向かって細くなって上から見ると台形状をしており、これによって、ピン挿入穴７にピン部１５の先端が挿入し易くなっている。脚部拡張用ブロック形状部２０の先端ガイド１９との結合部は、垂直位置において、垂直方向の幅が先端ガイド１９の垂直方向の幅よりも小さくなって首状部２２を形成しており、それにより、垂直位置においてピン部１５が挿入されたときに、ボデー取付脚部１１の脚部片が首状部２２と係合するようになっている。基幹部２１は、ピン挿入穴７の開口部内で回転できるように円柱状である。ピン挿入穴７は、ピン部１５の挿入時における脚部拡張用ブロック形状部２０の形状に合わせて水平方向の幅が垂直方向の幅よりもやや大きな形状を有している。
【００３４】
次にバンパーリテーナ１の動作について主に図５乃至図８を参照して説明する。先ず、バンパーリテーナ１の組み立て時の状態について説明すると、上述したように、バンパーリテーナ１の通常の製品は、リテーナ本体２にピン部材３を差し込んだ状態で構成されている（図３及び図４参照）。すなわち、リテーナ本体２の補強リブ８で囲まれた円形の凹部内にあるピン挿入穴７に、図１及び図２に示すような垂直位置にあるピン部材３のピン部１５が挿入されている。
【００３５】
挿入されたピン部１５の先端ガイド１９は、ボデー取付脚部１１の先端を越えて前方へ突出している。垂直位置では脚部拡張用ブロック形状部２０の垂直方向の幅がボデー取付脚部１１の脚部片の間隔よりも小さいので、脚部片が拡張されることなく、脚部片の先端が首状部２２と係合している。これによって、組み立て後のピン部材３のリテーナ本体２からの脱落が防止される。このときに、ピン部１５の脚部拡張用ブロック形状部２０は、ボデー取付脚部１１内に、その脚部片によって上下から挟まれるように収容されている。また、円形のピン部材弾性片フランジ１７が補強リブ８で囲まれた円形の凹部に収容され、その先端がピン挿入穴７を囲むように縦壁部６のピン挿入側壁面に当接している（図５参照）。
【００３６】
次にバンパーリテーナ１をボデー３０に取り付けて締結する動作について説明する。図５は、図３及び図４に示したバンパーリテーナ１のボデー取付脚部１１をボデー３０の取付穴に挿入しただけの締結前の状態を示している。このとき、ピン部材３のレバー部１６は、上述したように垂直位置にあって、その先端部がリテーナ本体２の下端部から飛び出した状態にあり、作業者がその飛び出しを目視可能になっている。また、ピン部１５の先端ガイド１９が、ボデー取付脚部１１の脚部片を超えて前方へ突出し、脚部片の先端が脚部拡張用ブロック形状部２０の首状部２２に係合し、ピン部材３の円形のピン部材弾性片フランジ１７の先端がピン挿入穴７を囲むように縦壁部６のピン挿入側壁面に当接している。また、脚部弾性片フランジ１３の先端が、ボデー３０の取付穴を囲むようにボデー３０のピン挿入側壁面に当接し、ボデー当て面１４の先端も、脚部弾性片フランジ１３の両側においてボデー３０に当接している。
【００３７】
リテーナ本体２のボデー取付脚部１１をボデー３０の全ての取付穴に挿入した後、図６に示すように、作業者が、レバー部１６を矢印ａの方向に回転させる。レバー１６が水平位置まで回転すると、レバー１６のロック形状部１８がリテーナ本体２のピン保持ロック部１０と係合し、それによりピン部材３がリテーナ本体２にロックされる。
【００３８】
レバー１６が垂直位置から水平位置まで回転すると、その回転は、ピン部材３の基幹部２１を介して脚部拡張用ブロック形状部２０に伝わって、脚部拡張用ブロック形状部２０が９０度だけ回転する。これによって、リテーナ本体２のボデー取付脚部１１内に収容されていた脚部拡張用ブロック形状部２０が、矢印ｂで示すように、ボデー取付脚部１１の脚部片を内側から外側へ押し広げることによって、ボデー取付脚部１１を拡張させる。この拡張によって、ボデー取付脚部１１の垂直方向の幅がボデー３０の取付穴より大きくなる。この拡張したボデー取付脚部１１と、リテーナ本体２に当接しているピン部材弾性片フランジ１７とによって、ボデー３０とリテーナ本体２とが締結される。
【００３９】
ボデー取付脚部１１の脚部片が押し広げられることによって、リテーナ本体２が、図８の矢印ｃで示すように、ボデー３０の内部へ引き込まれる。これによって、脚部弾性片フランジ１３が撓んで、その先端とボデー３０の外壁面との接触面積が大きくなる（円形部分ｄ参照）。この結果、ボデー３０の取付穴が脚部弾性片フランジ１３によってシールされ、外部からの水の侵入が防止される。また、リテーナ本体２がボデー３０の内部へ引き込まれるのに伴って、ピン部材３が、僅かな距離（α寸法分）だけボデー３０の内部へ引き込まれる。これによって、ピン部材弾性片フランジ１７が撓んで、その先端とリテーナ本体２のピン挿入側壁面との接触面積が大きくなる（円形部分ｅ参照）。この結果、ピン挿入穴７がピン部材弾性片フランジ１７によってシールされ、外部からの水の侵入が防止される。
【００４０】
上述した構造では、１締結箇所に２箇所のシール（防水）が必要な部位（リテーナ本体２とボデー３の間及びリテーナ本体２とピン部材３との間）があるが、それぞれ弾性片フランジ（脚部弾性片フランジ１３及びピン部材弾性片フランジ１７）が設けられており、十分なシール性（防水性）が確保されている。
【００４１】
また、リテーナ本体２にボデー当て面１４が設けられているので、ボデー当て面１４のボデー３０との接触部分（図６（ｃ）の円形部分ｆ参照）を管理することで、バンパーカバー搭載時などの応力に対する、バンパーリテーナ１の姿勢変化を抑制することができ、脚部弾性片フランジ１３への応力の入力を防ぎ、防水性能を保つことができる。
【００４２】
バンパーリテーナ１がボデー３０に締結された後、図７に示すように、バンパーカバー４０がバンパーリテーナ１に取り付けられる。バンパーカバー４０の取り付けは、バンパーカバー４０の係合部４１をバンパーリテーナ１の固定爪５と係合させることにより行われる。
【００４３】
以上本発明の１実施形態のバンパーリテーナ１について説明したが、他の変形も可能である。図示した実施形態では、レバー部１６が、締結前に垂直位置にあってリテーナ本体２の下端から飛び出し（図５参照）、締結後に水平位置にあってリテーナ本体２の内部に収容される（図６参照）ように構成されているが、逆に、締結前にリテーナ本体２の内部に収容され、締結後にその下端から飛び出すように構成することもできる。これは、図示した実施形態の構造に対して、ボデー取付脚部１１の構造又は脚部拡張用ブロック形状部２０の構造の何れか一方を軸方向の廻りに９０度回転させることによって達成される。
【００４４】
このような変形によって、作業者は、締結時にレバー部１６がリテーナ本体２の内部に収容されていることによって締結が完了していないことを、また、リテーナ本体２の下端から飛び出していることによって締結が完了していることを、それぞれ目視で容易に確認できる。
【００４５】
また、図示した実施形態では、ボデー取付脚部１１が一対の脚部片で構成されているが複数の脚部片で構成することも可能である。また、締結前と締結後のレバー部１６の角度が９０度に設定されているが、ボデー取付脚部１１の複数の脚部片の数や設置の角度と、それに対応する脚部拡張用ブロック形状部２０の構造を、軸方向の廻りに適宜設定することにより、その角度を任意の角度に設定することができる。
【符号の説明】
【００４６】
１  バンパーリテーナ
２  リテーナ本体
３  ピン部材
４  上壁部
５  固定爪
６  縦壁部
７  ピン挿入穴
８  補強リブ
９  切り欠き部
１０  ピン保持ロック部
１１  ボデー取付脚部
１２  脚部取付部
１３  脚部弾性片フランジ
１４  ボデー当て面
１５  ピン部
１６  レバー部
１７  ピン部材弾性片フランジ
１８  ロック形状部
１９  先端ガイド
２０  脚部拡張用ブロック形状部
２１  基幹部
２２  首状部
３０  ボデー
４０  バンパーカバー
４１  係合部
【図１】
0005767019.tif 000002
【図２】
0005767019.tif 000003
【図３】
0005767019.tif 000004
【図４】
0005767019.tif 000005
【図５】
0005767019.tif 000006
【図６】
0005767019.tif 000007
【図７】
0005767019.tif 000008
【図８】
0005767019.tif 000009